(57)【要約】【課題】錠剤容器内の錠剤の動きを効果的に封じる。【解決手段】容器口部11に嵌まる有底筒部21と、該筒部の開口縁に突設され該容器口部11の端面12に当接可能なフランジ26を具え、合成樹脂によって一体に形成された緩衝材であって、筒部21の底板22は外側に丸く膨らんで弾性変形し易い様に形成されており、底板(22)が及び筒部21が弾性変形することにより、錠剤を柔らかく押さえて錠剤を傷つけることなく動きを封じる。【選択図】図１
2008024326.tif 000002
【特許請求の範囲】
【請求項１】
容器口部(11)に嵌まる有底筒部(21)と、該筒部の開口縁に突設され該容器口部(11)の端面(12)に当接可能なフランジ(26)を具え、合成樹脂によって一体に形成された緩衝材であって、筒部(21)の底板(22)は外側に丸く膨らんで弾性変形し易い様に形成されている緩衝材。
【請求項２】
筒部(21)にはフランジ(26)側から底板(22)側に延びるスリット孔(23)が、筒部(21)の周方向に並んで開設されている、請求項１に記載の緩衝材。
【請求項３】
スリット孔(23)は、フランジ(26)の近傍から底板(22)の外周部に掛かって開設されている、請求項２に記載の緩衝材。
【請求項４】
筒部(21)の外側面において、隣り合うスリット孔(23)(23)間の各細帯状部(24)の長手方向の両側縁は面取り部(25)が形成されている、請求項１乃至３の何れかに記載の緩衝材。
【請求項５】
底板(22)の中央部には丸く内側に凹んだ凹み部(22a)が形成されて、該凹み部に射出成形のゲート痕(22b)が残っている、請求項１乃至４の何れかに記載の緩衝材。
【請求項６】
請求項１乃至５の何れかに記載の緩衝材(２)を、その筒部(21)を容器口部(11)に嵌め、該容器口部(11)にキャップ(３)を螺合して、キャップ(３)と容器口部(11)の端面(12)との間で緩衝材(２)のフランジ(26)を挟圧する緩衝材付き錠剤容器において、該フランジ(26)の外周縁には引掛り片(27)が外向きに突設され、キャップ(３)の内ネジ条(33)の内径は、引掛り片(27)を含むフランジ(26)の外径と略等しい緩衝材付き容器。
【請求項７】
キャップ(３)の奥に、キャップ天井壁(31)との間に引掛り片(27)が嵌まる余裕を存してキャップ(３)の内周面を一周して掛り条(34)が形成され、該掛り条(34)の内径は、引掛り片(27)を含むフランジ(26)の外径よりも少し小さく、該緩衝材(２)の引掛り片(27)は、弾性変形してキャップ(３)の掛り条(34)を乗り越えて掛り条(34)と天井壁(31)との間に嵌まっている、請求項６に記載の緩衝材付き容器。
【発明の詳細な説明】
【技術分野】
【０００１】
本発明は、容器内の錠剤等の内容物を押さえて、内容物の動きを封じる緩衝材及び該緩衝材を具えた容器に関するものである。
【背景技術】
【０００２】
出願人は以前、図９に示す錠剤容器用の緩衝材(５)を提案した(特許文献１)。これは、合成樹脂にて形成され、開口端にフランジ(52)を具えた筒部(51)に連続して先端側へ徐々に縮径して閉塞する変形領域(53)を有し、該変形領域には、緩衝材(５)の長さ方向に延びる貫通スリット孔(54)(54)を周方向に等間隔に開設している。
【０００３】
緩衝材(５)の筒部(51)を容器の口部に嵌合し、フランジ(52)を口部端面に当てると、緩衝材(５)の変形領域(51)は、容器内の錠剤に当たって圧縮力を受けて撓んで拡がり、錠剤群を広い範囲で押さえることを予定していた。
【０００４】
【特許文献１】実開平７−２８５５３号公報
【発明の開示】
【発明が解決しようとする課題】
【０００５】
ところが、緩衝材(５)の変形領域(53)は錠剤側に向かって徐々に縮径して尖っているから、実際には変形領域(53)が錠剤群の中に深く潜り込んでしまって拡大せず、錠剤群を押さえる効果が半減してしまうことが判明した。
又、容器にキャップを螺合する際、緩衝材(５)のフランジ(52)とキャップの内ネジ条との摩擦によって、キャップと一緒に緩衝材(５)が回転することがある。すると緩衝材(５)の変形部(53)は錠剤との摩擦で捻れてしまい、スリット孔(54)の一部はスリット幅が拡大して、中空の緩衝材(５)の内側に錠剤が嵌まり込んでしまう不都合が生じた。
又、スリット孔(54)の長手方向に沿う縁部は角張っているため、緩衝材(５)がキャップと一緒に回転した際に、或いは前記の如く緩衝材(５)が錠剤群に潜り込む際に、スリット孔(54)の孔縁で錠剤を傷つける虞れがあった。
更に、キャップを外すと、緩衝材(５)が容器の中に残ってしまうので、緩衝材(５)を容器から外す手間が掛かった。
本発明は、上記問題を解決できる緩衝材及び緩衝材付き容器を明らかするものである。
【課題を解決するための手段】
【０００６】
請求項１の緩衝材は、容器口部(11)に嵌まる有底筒部(21)と、該筒部の開口縁に突設され該容器口部(11)の端面(12)に当接可能なフランジ(26)を具え、合成樹脂によって一体に形成されており、筒部(21)の底板(22)は外側に丸く膨らんで弾性変形し易い様に形成されている。
【０００７】
請求項２は請求項１の緩衝材において、筒部(21)にはフランジ(26)側から底板(22)側に延びるスリット孔(23)が、筒部(21)の周方向に並んで開設されている。
【０００８】
請求項３は請求項１又は２に記載の緩衝材において、スリット孔(23)は、フランジ(26)の近傍から底板(22)の外周部に掛かって開設されている。
【０００９】
請求項４は請求項１乃至３の何れかの緩衝材において、筒部(21)の外側面において、隣り合うスリット孔(23)(23)間の各細帯状部(24)の長手方向の両側縁は面取り部(25)が形成されている。
【００１０】
請求項５は請求項１乃至４の何れかに記載の緩衝材において、底板(22)の中央部には丸く内側に凹んだ凹み部(22a)が形成されて、該凹み部内に射出成形のゲート痕(22b)が残っている。
【００１１】
請求項６は、請求項１乃至５の何れかに記載の緩衝材(２)を、その筒部(21)を容器口部(11)に嵌め、該容器口部(11)にキャップ(３)を螺合して、キャップ(３)と容器口部(11)の端面(12)との間で緩衝材(２)のフランジ(26)を挟圧する緩衝材付き錠剤容器であって、緩衝材(２)の外周縁には引掛り片(27)が外向きに突設され、キャップ(３)の内ネジ条(33)の内径は、引掛り片(27)を含むフランジ(26)の外径と略等しい。
【００１２】
請求項７は、請求項６の緩衝材付き錠剤容器において、キャップ(３)の奥に、キャップ天井壁(31)との間に引掛り片(27)が嵌まる余裕を存してキャップ(３)の内周面を一周して掛り条(34)が形成され、該掛り条(34)の内径は、引掛り片(27)を含むフランジ(26)の外径よりも少し小さく、該緩衝材(２)の引掛り片(27)は、弾性変形してキャップ(３)の掛り条(34)を乗り越えて掛り条(34)と天井壁(31)との間に嵌まっている。
【発明の効果】
【００１３】
請求項１の緩衝材(２)を錠剤(４)を収容した容器(１)に嵌めると、錠剤(４)に当たって緩衝材(２)の筒部(21)が弾性変形する前に、該筒部(21)の丸く膨らんだ底板(22)が緩衝材(４)に当たって底板(22)が変形してクッションの役割をなし、次いで筒部(21)が弾性変形するから、錠剤(４)を傷つけることを防止できる。
緩衝材(２)は、前記した従来の緩衝材(５)とは違って、先端が尖っていないため、容器(１)内の錠剤群に深く潜り込むことはない。
【００１４】
請求項２の緩衝材(２)の場合、上記請求項１の効果に加えて、筒部(21)の周方向にスリット孔(23)の列を施したため、筒部(21)の周壁も弾性変形し易くなって、錠剤を柔らかく押圧でき、錠剤に対する傷つけ防止効果は一層高まる。更に、筒部(21)が外拡がりに変形するから錠剤群を押圧する面積が大きくなって、錠剤の動きを封じる効果は高まる。
【００１５】
請求項３の緩衝材(２)は、筒部(21)のスリット孔(23)が底板(22)の外周部に掛かって開設されているから、底板(22)が錠剤(４)に当たって筒部(21)に軸方向の圧縮力が作用したとき、底板(22)において、スリット孔(23)(23)間の細帯状部(24)(24)の終端には、筒部(21)内への曲げ力が作用する。このため、筒部(21)は確実に外側に拡大する方向に撓んで、底板(22)と一緒に錠剤群を効果的に押えることができる。
【００１６】
請求項４の緩衝材(２)は、筒部(21)の外側面において、隣り合うスリット孔(23)(23)間の各細帯状部(24)の長手方向の両側縁は面取り部(25)が形成されているから、筒部(21)が外拡がりに撓んで、該細帯状部(24)が錠剤(４)を押圧する際に、錠剤(４)を傷つけることを防止できる。
【００１７】
請求項５の緩衝剤は、筒部底板(22)の凹み部(22a)の外周部分、即ち、緩衝材が一番先に錠剤に接し易い部分が補強リブの役割をなし、凹み部(22a)外周部が錠剤に当たった際に、底板(22)全体に押圧反力が作用して無理なく錠剤群を押さえることができる。
【００１８】
請求項６の緩衝材付き容器は、緩衝材(２)の引掛り片(27)を含むフランジ(26)の外径と、キャップ(３)の内ネジ条(33)の内径は略同じであり、キャップ(３)を容器口部(11)に螺合する際、該引掛り片(27)と内ネジ条(33)が接触する虞れがある。但し、キャップ(３)の内ネジ条(33)はキャップ(３)の内周を無端状に一周としているのではなく、螺旋条である。このため、緩衝材(２)の引掛り片(27)が部分的に内ネジ条(33)に接するだけであるから、キャップ(３)を容器口部(11)に螺合する際、キャップ(３)の内ネジ条(33)と緩衝材(２)との間には、キャップ(３)と一緒に緩衝材(２)を回転させるほどの摩擦力は生じない。
従って、キャップ(３)の回転につれて、緩衝材(２)が回転することはなく、錠剤(４)を傷つけることは防止できる。
【００１９】
請求項７の緩衝材付き容器は、キャップ(３)を締め込んでいくと、緩衝材(２)のフランジ(26)上の引掛り片(27)が、キャップ(３)の掛り条(34)に当たる。引掛り片(27)を含む緩衝材(２)は合成樹脂にて形成され、しかも引掛り片(27)はフランジ(26)の全周に亘って張り出しているのではなく、隣り合う引掛り片(27)(27)間に隙間が存在するから、キャップ(３)を更に締め込むと、引掛り片(27)が撓んで掛り条(34)を乗り越え、掛り条(34)と天井壁(31)との間に嵌まって原形に復する。
従って、一旦、緩衝材(２)の引掛り片(27)が、キャップ(３)の天井壁(31)と掛り条(34)の間に嵌まり込むと、緩衝材(２)はキャップ(３)から容易には外れず、容器(１)にセットされた状態となる。このため、容器(１)からキャップ(３)を外したり、再び容器(１)にキャップ(３)螺合するとき、緩衝材(２)はキャップ(３)と一緒に容器から着脱され、緩衝材(２)だけを容器(１)に嵌めたり、外す手間が省ける。
【発明を実施するための最良の形態】
【００２０】
図１に示す如く、緩衝材(２)は、有底筒部(21)と、該筒部(21)の上端開口縁に設けたフランジ(26)とを具えている。
緩衝材(２)は、ポリプロピレン、ポリエチレン等の合成樹脂の射出成形によって一体に成形されているおり、手指で押圧すれば簡単に弾性変形する程度の軟質体である。
【００２１】
筒部(21)の底板(22)は外側に丸く膨らんでおり、より弾性変形し易い。
底板(22)の中央部には、内向きに、浅く球面状に凹んだ凹み部(22a)が形成されている。
凹み部(22a)内には、緩衝材(２)を射出成形した際のゲート痕(22b)が残っているおり、ゲート痕(22b)が錠剤(４)を傷つけることを防止できる。
【００２２】
本実施では、上記凹み部(22a)は底板(22)の補強リブとなり、底板(22)が錠剤(４)に当たったときに、底板(22)全体を柔らく変形させること及び緩衝材(２)に作用する圧縮力を筒壁へ効果的に伝える役割をもなす。
【００２３】
筒部(21)にフランジ(26)側から底板(22)側に延びるスリット孔(23)が、筒部(21)の周方向に略等間隔に並んで開設されている。各スリット孔(23)は、フランジ(26)の近傍から底板(22)の外周部に掛かるまで延びている。
【００２４】
緩衝材(２)の筒部(21)の外径は、該緩衝材(２)を嵌めるべき容器(１)の口部(11)の内径よりも少し小さい(実施例では約１mm小さい)。筒部(21)の長さは、フランジ(26)を容器口部(11)の端面(12)に当てて筒部(21)を口部(11)に嵌めた状態で、容器(１)内に収容した錠剤群に当たって軸方向に圧縮力を受けて、外側に大きく膨れる長さとする。
【００２５】
スリット孔(23)の個数、スリット孔の幅と長さは、上記の様に、緩衝材(２)が錠剤に当たって外側に容易に膨れ、且つ、それによってスリット孔の幅が拡大しても、錠剤(４)を筒部(21)内に侵入させない程度に、錠剤(４)の大きさ等に応じて自由に決めることができる。
【００２６】
図５に示す如く、筒部(21)の外側面において、隣り合うスリット孔(23)(23)間の各細帯状部(24)の長手方向の両側縁は面取り部(25)が形成されている。
【００２７】
図２、図７に示す如く、緩衝材(２)のフランジ(26)の上面には、内、外に筒部(21)と同心円の環状の突条(29)(29)が形成されている。
フランジ(26)の外周には、周方向に等間隔に引掛り片(27)(27)が外側方に突設されている。
引掛り片(27)は、フランジ(26)の外周縁の上部に位置し、引掛り片(27)の上面は、後記するキャップ０(３)の掛り条(34)に対して、嵌まり勾配の案内斜面(28)に形成されている。実施例の案内斜面(28)は円弧状斜面である。
【００２８】
容器口部(11)の周面には、キャップ(３)を螺合するための外ネジ条(13)が形成される。該外ネジ条(13)の外径は、引掛り片(27)を含むフランジ(26)の外径よりも少し大きい。
【００２９】
キャップ(３)は、緩衝材(２)のフランジ(26)を押圧する天井壁(31)と、天井壁(31)の外周から垂下した周壁(32)とからなり、周壁(32)に内ネジ条(33)及び該内ネジ条(33)よりも天井壁(31)に接近して掛り条(34)が形成されている。
内ネジ条(33)は、容器口部(11)の外ネジ条(13)に螺合するものである。該内ネジ条(33)の内径は、緩衝材(２)の引掛り片(27)を含むフランジ(26)の外径に略等しい。
掛り条(34)は、螺旋状ではなく、天井壁(31)と平行な面内で周壁(32)内面を無端状に一周している。掛り条(34)の内径は、緩衝材(２)の引掛り片(27)を含むフランジ(26)の外径よりも少し小さい。
キャップ(３)の天井壁(31)と掛り条(34)との間は、緩衝材(２)の引掛り片(27)が回転自由に嵌まる余裕がある。
【００３０】
然して、錠剤(４)を収容した容器(１)の口部(11)に緩衝材(２)を嵌めてから、キャップ(３)を締め付ける。
キャップ(３)の内ネジ条(33)の内径は、緩衝材(２)の引掛り片(27)を含むフランジ(26)の外径と略同じであるから、緩衝材(２)が内ネジ条(33)と接することもある。しかし、内ネジ条(33)は螺旋条であるから、内ネジ条(33)が引掛り片(27)に接触しても部分的な接触であり、キャップ(３)の回転によって緩衝材(２)を回転させるほどの摩擦は生じない。
【００３１】
キャップ(３)の締込みの終了の直前に、緩衝材(２)の各引掛り片(27)(27)がキャップ(３)内面の掛り条(34)に押圧され、弾性変形して掛り条(34)を乗り越え、弾性復帰して、キャップ(３)の天井壁(31)と外掛り条(34)との間に、回転可能に嵌まり込む。
引掛り片(27)には掛り条(34)に対して嵌め込み勾配の案内斜面(28)が形成され、キャップ(３)の掛り条(34)はネジ推力で引掛り片(27)(27)を押圧するから、引掛り片(27)は簡単に掛り条(34)を乗り越えることができる。しかし、一旦、引掛り片(27)がキャップ(３)の天井壁(31)と掛り条(34)との間に嵌まり込むと、容易には外れない。
【００３２】
上記キャップ(３)の締付けにおいて、緩衝材(２)のフランジ(26)が容器(１)の口部端面(12)に当たるまでに、緩衝材(２)の丸く膨らんだ底板(22)が錠剤(４)に当たる。底板(22)は軟質であるから、筒部(21)が弾性変形する前に、底板(22)が変形してクッションの役割をなし、次いで筒部(21)が弾性変形するから、錠剤(４)を傷つけることを効果的に防止できる。
緩衝材(２)は、前記した従来の緩衝材(５)とは違って、先端が尖っていないため、緩衝材(２)が容器(１)内の錠剤群に深く潜り込むことはない。
【００３３】
筒部底板(22)の凹み部(22a)の外周部分、即ち、緩衝材(２)が一番先に錠剤に当たり易い部分が補強リブの役割をなし、底板(22)全体に押圧反力が作用して無理なく錠剤群を押さえることができる。又、緩衝材(２)に対する圧縮力を筒壁、即ち、隣り合うスリット孔(23)(23)間の各細帯状部(24)(24)に効果的に伝えて、細帯状部(24)を容易に撓ませることができる。
スリット孔(23)の上端は、筒部(21)のフランジ(26)の近傍に達し、即ち、容器口部(11)の領域まで延びているから、筒部(21)の軸方向の圧縮変形を助ける効果がある。
又、スリット孔(23)の下端は筒部底板(22)の外周部に掛かって延びているから、筒部(21)に上記軸方向の圧縮力が作用したとき、底板(22)において、スリット孔(23)(23)の細帯状部(24)(24)の下端には、筒部(21)内への曲げ力が作用する。このため、細帯状部(24)は確実に外側に膨らむ様に撓んで、筒部(21)は拡大させる。
キャップ(３)を締めきると、キャップ(３)の天井壁(31)が緩衝材(２)のフランジ(26)上の突条(29)(29)を圧縮して、容器(１)内を密封できる。
【００３４】
上記の如く、緩衝材(２)はその底板(22)及び、撓んで拡大した筒部(21)の下部で錠剤(４)を効果的に押さえて、錠剤(４)が容器(１)内で動くことを封じる。これによって、容器(１)に衝撃が作用しても錠剤(４)の割れや欠けを防止できる。
又、緩衝材(２)は、筒部(21)の外側面において、隣り合うスリット孔(23)(23)間の各細帯状部(24)の長手方向の両側縁は面取り部(25)が形成されているから、筒部(21)が外拡がりに撓んで、該細帯状部(24)が錠剤(４)を押圧する際に、錠剤(４)を傷つけることを防止できる。
【００３５】
キャップ(３)を外すとき、キャップ(３)にセットされた状態で緩衝材(２)も一緒に容器(１)から外れるので、緩衝材(２)だけを容器(１)に嵌めたり、外す手間が省ける。
【００３６】
前記の如く、キャップ(３)はその天井壁(31)で緩衝材(２)のフランジ(26)上の突条(29)(29)を強く押圧しているから、キャップ(３)を外すときに、該突条(29)(29)との摩擦によって、キャップ(３)と一緒に緩衝材(２)が回る虞れがある。しかし、前記の如く、緩衝材(２)のスリット孔(23)(23)間の各細帯状部(24)の側縁は面取り部(25)が形成されているから、緩衝材(２)の回転によって錠剤(４)を傷付けることはない。緩衝材(２)をセットしたキャップ(３)を容器口部(11)に螺合する際の、締めきり直前にも、突条(29)(29)との摩擦によって、キャップ(３)と一緒に緩衝材(２)が回る虞れがある。しかし、上記と同様の理由で錠剤(４)を傷付けることはない。
【００３７】
図８は、緩衝材(２)の他の実施例を示し、筒部(21)の底板(22)は、前記同様にして、丸く膨らんで弾性変形し易く形成され、フランジ(26)も前記同様に形成されている。しかし、筒部(21)に前記スリット孔(23)(23)は存在しない。
筒部(21)からスリット孔(23)を省略しても、丸く膨らんだ筒部底板(22)が錠剤(４)を柔らかく押圧し、緩衝材(２)に更なる圧縮力が作用すれば筒部(21)が弾性変形して錠剤(４)の動きを封じることがができる。
【００３８】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能である。
【００３９】
例えば、上記実施例は、錠剤容器であるが、容器(１)に収容するのは、錠剤に限らない。緩衝材(２)を容器(１)にセットした状態で容器(１)の内容物の動きを封じることができる様な、内容物(収容物)であれば、その物質、形状は問わない。
【図面の簡単な説明】
【００４０】
【図１】緩衝材の正面図である。
【図２】同上の平面図である。
【図３】同上の底面図である。
【図４】図１Ａ−Ａ線に沿う断面図である。
【図５】筒壁の部分拡大である。
【図６】緩衝材が容器内の錠剤を押さえている状態の断面図である。
【図７】キャップと、容器口部及び緩衝材のフランジの係合状態の拡大断面図である。
【図８】他の実施例の緩衝材の正面図である。
【図９】出願人が以前提案した緩衝材の正面図である。
【符号の説明】
【００４１】
１  容器
11  口部
２  緩衝材
21  筒部
22a  凹み部
22  底板
23  スリット孔
24  細帯状部
26  フランジ
27  引掛り片
３  キャップ
34  掛り条
【図１】
2008024326.tif 000003
【図２】
2008024326.tif 000004
【図３】
2008024326.tif 000005
【図４】
2008024326.tif 000006
【図５】
2008024326.tif 000007
【図６】
2008024326.tif 000008
【図７】
2008024326.tif 000009
【図８】
2008024326.tif 000010
【図９】
2008024326.tif 000011